(57)【特許請求の範囲】
【請求項１】
複数の巻線を備えた負荷時タップ切換変圧器の負荷時タップ切換器が接続された巻線と直列に、直流電流を供給する測定用電源と供給した電流波形を検出する検出手段とを備えたシーケンス測定装置を接続し、該シーケンス測定装置より上記負荷時タップ切換器が接続された巻線に直流の測定電流を供給し、測定電流が安定した状態で切換開閉器を切換動作させ、上記シーケンス測定装置により測定電流の電流波形を検出し、検出した電流波形の変化点を切換開閉器の動作タイミングとする負荷時タップ切換器の切換開閉器のシーケンス測定方法。
【請求項２】
複数の巻線を備えた負荷時タップ切換変圧器の負荷時タップ切換器が接続された巻線と直列に、低周波交流の測定電流を供給する測定用電源と、測定電流の電流波形を検出する検出手段とを備えたシーケンス測定装置を接続し、該シーケンス測定装置より上記負荷時タップ切換器が接続された巻線に低周波交流の測定電流を供給し、測定電流が正または負の半波の間に同期して切換開閉器を切換動作させ、上記シーケンス測定装置により電流波形を検出し、電流波形検出後は電源電圧を徐々に下降して回路スイッチを開路するものとし、上記検出した電流波形の変化点を切換開閉器の動作タイミングとする負荷時タップ切換器の切換開閉器のシーケンス測定方法。
【請求項３】
負荷時タップ切換器が接続された巻線以外の巻線は短絡接続してシーケンス測定することを特徴とする請求項１または請求項２記載の負荷時タップ切換器の切換開閉器のシーケンス測定方法。
【請求項４】
形成したシーケンス測定回路のシーケンス測定装置と変圧器の高圧側巻線との間を接続した接続線の高圧線路側に接続された部分を接地してシーケンス測定することを特徴とする請求項１または請求項２記載の負荷時タップ切換器の切換開閉器のシーケンス測定方法。
【発明の詳細な説明】
【０００１】
【発明の属する技術分野】
この発明は、複数の巻線を備えた負荷時タップ切換変圧器の負荷時タップ切換器の切換開閉器のシーケンス測定方法に関するものである。
【０００２】
【従来の技術】
負荷時タップ切換変圧器は、通常、高圧側巻線に複数のタップが設けられて負荷時タップ切換器が接続された構成であり、タップの切換は、接続されているタップと切り換えられるタップ間を抵抗で橋絡し、タップの接続位置を切り換えるように構成されている。
【０００３】
負荷時タップ切換変圧器の負荷時タップ切換器で、例えば２抵抗式切換開閉器の場合の構成を図４に示す。図において、１は変圧器、２は高圧側巻線であり、中性点側に複数のタップ５が設けられている。３は低圧側巻線、４は変圧器タンク、５は高圧側巻線２に設けられた複数のタップ、６ａは高圧側ブッシング、６ｎは高圧側中性点ブッシング、７ａ、７ｂは低圧側ブッシングである。１０は負荷時タップ切換器であり、切換開閉器１１、切換開閉器１１を収容する切換開閉器容器１２、接続端子１３ａを備えたタップ選択器１３で構成されている。１４はタップ５とタップ選択器１３の接続端子１３ａの間を接続する接続リードである。１５は負荷時タップ切換器１０の操作機構、１６は操作機構１５の操作力を負荷時タップ切換器１０に伝達する操作力伝達機構であり、縦連結軸１６ａ、傘歯車機構１６ｂ、横連結軸１６ｃで構成されている。
【０００４】
負荷時タップ切換器１０の切換開閉器１１の結線図を図５（ａ）、切換開閉器１１に内蔵された電流開閉スイッチのシーケンスを図５（ｂ）に示す。図５（ａ）において、１１ａ、１１ｂはタップ選択器１３に接続する接続部、１１ｎは中性点側に接続される接続部である。２１、２２、２３、２４は切換開閉器１１に内蔵された電流開閉スイッチ、２５ａは電流開閉スイッチ２２に直列接続された限流抵抗器、２５ｂは電流開閉スイッチ２３に直列接続された限流抵抗器であり、電流開閉スイッチ２１と限流抵抗器２５ａとが直列に接続された電流開閉スイッチ２２が並列接続されて接続部１１ａに接続され、電流開閉スイッチ２４と限流抵抗器２５ｂが直列に接続された電流開閉スイッチ２３とが並列接続されて接続部１１ｂに接続され、電流開閉スイッチ２１、２２、２３、２４の中性点側は並列接続されて中性点側接続部１１ｎに接続されている。
【０００５】
変圧器１の高圧側巻線２のタップ選択器１３により選択されたタップ５は接続部１１ａに接続され、切り換えられるタップ５は接続部１１ｂに接続され、運転中は電流開閉スイッチ２１が閉路され、その他の電流開閉スイッチ２２、２３、２４は開路されている。この状態でタップ切換指令の例えば奇数タップから偶数タップへのタップ切換指令があると、電流開閉スイッチ２１、２２、２３、２４は、図５（ｂ）に示すタイミングで開閉動作し、タップ切換が行われる。即ち、電流開閉スイッチ２１がタイミングＴ1 で開路するよりも早く電流開閉スイッチ２２が閉路し、電流開閉スイッチ２２が開路されるタイミングＴ3 よりも早いタイミングＴ2 で電流開閉スイッチ２３が閉路し、電流開閉スイッチ２３が開路されるよりも早いタイミングＴ4 で電流開閉スイッチ２４が閉路するように制御される。偶数タップから奇数タップへのタップ切換指令に対しては図５（ｂ）のＢ点からＡ点に向かうシーケンスで電流開閉スイッチ２４、２３、２２、２１の順序で開閉するように制御される。
【０００６】
負荷時タップ切換器１０の切換開閉器１１は切換の都度アークが発生し、接点の消耗を伴う。各接点の消耗は、開閉のタイミング（以下切換開閉器のシーケンスと呼ぶ）の変化をもたらし、消耗が激しくなると電流開閉スイッチ２１、２２、２３、２４の許容残量がなくなり、長時間アークの発生に至り、電流開閉スイッチ２１と電流開閉スイッチ２３が同時にアークで繋がる状態となってタップ間短絡に至る問題の他、ＪＥＣ２２３０−１９８８、（参考２）の３．３．１項に示されているように変圧器の負荷率によって通常の負荷電流のみを遮断する電流開閉スイッチ２１、２４と、電流開閉スイッチ２２、２３が同時に閉極した時にタップ間を通流する橋絡電流と負荷電流の半分が重畳した電流もしくは差電流のみを遮断する電流開閉スイッチ２２、２３間の遮断消耗量の差が大きくなり、各電流開閉スイッチ２１、２２、２３、２４の開閉タイミングの相互間隔すなわち図５（ｂ）に示すタイミングＴ1 、Ｔ2 、Ｔ3 、Ｔ4 が変化することとなる。
【０００７】
このようなことから負荷時タップ切換器の電流開閉スイッチの開閉間隔すなわちシーケンスは切換開閉器における電流開閉の成功、失敗に関係する重要な要素であり、接点の消耗によるシーケンスの変化状況を定期的に把握すること不可欠の事項である。
【０００８】
従来の負荷時タップ切換器１０の切換開閉器１１のシーケンス測定は、変圧器１を停止し、負荷時タップ切換器１０の切換開閉器１１を取り出し、取り出した切換開閉器１１を試験用タンクに取り付け、専用の試験装置により行われていた。その状況を図６に示す。図において、変圧器１の部分は図４に示す構成であり、高圧側巻線２、低圧側巻線３、変圧器タンク４、高圧側巻線２に設けられた電圧調整するためのタップ５、高圧側ブッシング６ａ、高圧側中性点ブッシング６ｎ、低圧側ブッシング７ａ、７ｂ、負荷時タップ切換器１０、切換開閉器１１、切換開閉器容器１２、接続端子１３ａを備えたタップ選択器１３、タップ５とタップ選択器１３の接続端子１３ａの間を接続する接続リード１４、負荷時タップ切換器１０の操作機構１５、操作機構１５の操作力を負荷時タップ切換器１０に伝達する操作力伝達機構１６は図４に示す変圧器１の部分と同一である。１８は切換開閉器１１を変圧器１より取外し、試験後に変圧器１に取り付ける吊上装置である。
【０００９】
３１は切換開閉器試験容器、３２は試験用切換開閉器容器、３３は試験用操作機構、３４は試験用駆動力伝達機構、３５はシーケンス測定装置、３９は接続ケーブルである。
【００１０】
図７は切換開閉器１１のシーケンス測定を行うシーケンス測定回路図である。シーケンス測定装置３５は測定用電源３６、検出抵抗器３７ａ、３７ｂ、シーケンス波形を収録するオシログラム等で構成された測定エレメント３８ａ、３８ｂで構成されている。３９は切換開閉器１１の端子とシーケンス測定装置３５の間を接続する接続ケーブルであり、切換開閉器接続部１１ａ、１１ｂには接続線３９ａで接続され、中性点側は中性点接続線３９ｎで接続される。
【００１１】
従来の負荷時タップ切換装置１０の切換開閉器１１のシーケンス測定の手順を説明する。まず、対象とする変圧器１を停止し、切換開閉器タンク１２内の絶縁油を抜き取り、切換開閉器１１を取外し、吊上装置１８により切換開閉器１１を吊り上げて切換開閉器試験容器３１に取り付け、切換開閉器１１と試験用操作機構３３は試験用駆動力伝達機構３４で連結し、シーケンス測定装置３５と切換開閉器１１の接続部１１ａ、１１ｂ、１１ｎのそれぞれの間を接続ケーブル３９により図７に示すとおりに結線して測定回路を形成する。
【００１２】
シーケンス測定の奇数タップから偶数タップへの切換に対しては、図７の試験用電源３６を投入し、測定回路に測定電流を通電し、図８（ａ）に示したＡ点から右にシーケンスに示すように電流開閉スイッチ２１、２２、２３、２４を開閉動作させ、測定エレメント３８ａ、３８ｂにより電流波形を検出する。その検出した電流波形の例を図８（ｂ）に示す。図の上段は測定エレメント３８ａの検出電流であり、下段は測定エレメント３８ｂの検出電流である。シーケンス測定装置３５の電源電圧をＥ、限流抵抗器２５ａ、２５ｂの抵抗値をＲg 、検出抵抗器３７ａ、３７ｂの抵抗値をＲk とすると、Ａ点のタイミングＴ0 からタイミングＴ1 の間の電流ｉ1 、タイミングＴ1 からタイミングＴ3 の間の電流をｉ2 、タイミングＴ2 からＴ4 の間の電流をｉ3 およびタイミングＴ4 からＢ点の間の電流をｉ4 とすると、それぞれの電流は式（１）〜式（４）のようになる。
ｉ1 ＝Ｅ／Ｒk   ・・・・・・・・・・・・・・・・・（式１）
ｉ2 ＝Ｅ／（Ｒg ＋Ｒk ）  ・・・・・・・・・・・・（式２）
ｉ3 ＝Ｅ／（Ｒg ＋Ｒk ）  ・・・・・・・・・・・・（式３）
ｉ4 ＝Ｅ／Ｒk   ・・・・・・・・・・・・・・・・・（式４）
また、偶数タップから奇数タップへの切換に対しては奇数タップから偶数タップへの切換の場合の逆方向に図８（ａ）のＢ点から左方向のＡ点の方向のシーケンスで同様に行われる。
【００１３】
【発明が解決しようとする課題】
以上のように変圧器１の負荷時タップ切換器１０の電流開閉スイッチ２１、２２、２３、２４のシーケンス測定は、変圧器１より負荷時タップ切換器１０の切換開閉器１１を取外し、専用の切換開閉器試験容器３１、試験用操作機構３３、試験用駆動力伝達機構３４等で構成されるシーケンス試験装置に取り付けて行い、再度変圧器１に取り付ける方法で行われていたので、切換開閉器容器１２内の絶縁油の抜油作業、切換開閉器１１の取外し作業、試験終了後の取付作業、再注油作業等の繁雑な作業が必要であり、長時間の作業時間と多額の作業費を必要とする問題点があった。また、切換開閉器１１の取付け、取外し時には大気中に露出するので、切換開閉器１１の構成部品の吸湿、塵埃付着等の絶縁信頼性が低下する問題点もあった。
【００１４】
この発明は上記問題点を解決するためになされたものであり、負荷時タップ切換器の切換開閉器を変圧器から取外すことなく切換開閉器のシーケンス測定ができる負荷時タップ切換器の切換開閉器のシーケンス測定方法を提供することを目的とする。
【００１５】
【課題を解決するための手段】
この発明の請求項１記載の負荷時タップ切換器の切換開閉器のシーケンス測定方法は、複数の巻線を備えた負荷時タップ切換変圧器の負荷時タップ切換器が接続された巻線と直列に、直流電流を供給する測定用電源と供給した電流波形を検出する検出手段とを備えたシーケンス測定装置を接続し、該シーケンス測定装置より上記負荷時タップ切換器が接続された巻線に直流の測定電流を供給し、測定電流が安定した状態で切換開閉器を切換動作させ、上記シーケンス測定装置により測定電流の電流波形を検出し、検出した電流波形の変化点を切換開閉器の動作タイミングとする方法である。
【００１６】
この発明の請求項２記載の負荷時タップ切換器の切換開閉器のシーケンス測定方法は、複数の巻線を備えた負荷時タップ切換変圧器の負荷時タップ切換器が接続された巻線と直列に、低周波交流の測定電流を供給する測定用電源と、測定電流の電流波形を検出する検出手段とを備えたシーケンス測定装置を接続し、シーケンス測定装置より負荷時タップ切換器が接続された巻線に低周波交流の測定電流を供給し、測定電流が正または負の半波の間に同期して切換開閉器を切換動作させ、上記シーケンス測定装置により電流波形を検出し、電流波形検出後は電源電圧を徐々に下降して回路スイッチを開路するものとし、上記検出した電流波形の変化点を切換開閉器の動作タイミングとする方法である。
【００１７】
この発明の請求項３記載の負荷時タップ切換器の切換開閉器のシーケンス測定方法は、請求項１または請求項２の方法の負荷時タップ切換器が接続された巻線以外の巻線を短絡接続してシーケンス測定する方法である。
【００１８】
この発明の請求項４記載の負荷時タップ切換器の切換開閉器のシーケンス測定方法は、請求項１または請求項２の方法の形成したシーケンス測定回路のシーケンス測定装置と変圧器の高圧側巻線との間を接続した接続線の高圧線路側に接続した部分を接地してシーケンス測定する方法である。
【００１９】
【発明の実施の形態】
実施の形態１．
実施の形態１は負荷時タップ切換器を備えた変圧器の切換開閉器のシーケンス測定を切換開閉器を取外さないで行う実施の形態である。そのシーケンス測定を行うときの変圧器の状態およびシーケンス測定装置の配置状況を図１に示す。図において、変圧器１は、高圧側巻線２、低圧側巻線３、変圧器タンク４、高圧側巻線２に設けられた複数のタップ５、高圧側ブッシング６ａ、高圧側中性点ブッシング６ｎ、低圧側ブッシング７ａ、７ｂ、負荷時タップ切換器１０の切換開閉器１１、切換開閉器容器１２、接続端子１３ａを備えたタップ選択器１３、タップ５とタップ選択器１３の接続端子１３ａの間を接続する接続リード１４、負荷時タップ切換器１０の操作機構１５、操作機構１５の操作力を負荷時タップ切換器１０に伝達する縦連結軸１６ａ、傘歯車機構１６ｂ、横連結軸１６ｃで構成された操作力伝達機構１６は、図４に示す従来の変圧器の構成と同一である。
【００２０】
４０はシーケンス測定装置、４８は変圧器１の高圧側ブッシング６ａおよび高圧中性点側ブッシング６ｎとシーケンス測定装置４０との間を接続する接続ケーブル、４９は変圧器の低圧側巻線を短絡接続する接続線である。図１の状態は、変圧器１の高圧側巻線２にシーケンス測定装置４０を接続して測定回路を形成している。
【００２１】
図２は図１の構成の測定回路図である。図中の切換開閉器１１は従来の構成の図５（ａ）に示した回路と同一である。シーケンス測定装置４０は、測定電流を供給する測定用電源４１と、検出用可変抵抗器４２と、回路スイッチ４３とが直列に接続され、検出用可変抵抗器４２に並列接続されて検出用可変抵抗器４２の両端電圧を入力して電流波形を検出する電流波形検出手段の測定エレメント４４とで構成され、変圧器に接続される測定ケーブル４８の線間には、シーケンス測定装置４０を試験時の異常電圧から保護するバリスタ４６が接続されている。４５は測定エレメント４４の接地端子であり、変圧器１の高圧側巻線２の線路側に接続する側を接地するように設けられている。測定用電源４１は直流電源が使用される。
【００２２】
負荷時タップ切換器１０の切換開閉器１１のシーケンスを測定する場合は、図２のように測定回路を形成し、検出用可変抵抗器４２の抵抗値を適正値に設定する。シーケンス測定は、回路スイッチ４３を投入し、測定電流が安定するまで持続し、測定電流が安定すると切換開閉器１１を動作させ、シーケンス測定装置４０により電流波形を検出する。測定結果の例を図３に示す。
【００２３】
図３におけるｉ1 が電流開閉スイッチ２１が閉路しているときの電流であり、Ｔ1 は電流開閉スイッチ２２が閉路した状態で電流開閉スイッチ２１が開路した時を示し、Ｔ1 からは限流抵抗２５ａ挿入されて電流ｉ2tとなって減少し、Ｔ2 において電流開閉スイッチ２３が閉路して限流抵抗２５ｂが挿入され、限流抵抗２５ａと２５ｂが並列状態になり、電流ｉ3tとなって増加し、Ｔ3 において電流開閉スイッチ２２が開路して限流抵抗２５ａが切り離されて電流ｉ4tとなって再び減少し、Ｔ4 において電流開閉スイッチ２４が閉路して限流抵抗２５ｂが短絡された後切り離されて電流ｉ5tとなって増加し、ｉ1 にほぼ等しいｉ5 となる波形となる。
【００２４】
図３に示したようなＴ1 、Ｔ2 、Ｔ3 、Ｔ4 のタイミングが正確に読みとれる電流波形を得るには各タイミング期間における電流が速やかに定常状態になるように回路の時定数を小さくする必要がある。
【００２５】
図２に示す測定回路の変圧器巻線部分の抵抗値をＲｍ、インダクタンスをＬとし、電流開閉スイッチ２２、２３に接続した限流抵抗２５ａ、２５ｂの抵抗値をＲｇ、検出用可変抵抗器４２の抵抗値をＲｓとし、測定用電源４１の電圧をＥとすると、図３の０からタイミングＴ1 までの間の電流ｉ1tは（式５）で与えられ、時定数τ1 は（式６）の通りとなる。時間ｔは回路スイッチ４３を投入してからの経過時間である。
【００２６】
【数１】
0003657447.tif 000002
【００２７】
タイミングＴ1 とＴ2 の間の電流ｉ2tは（式７）で与えられ、時定数τ2 は（式８）の通りとなる。
【００２８】
【数２】
0003657447.tif 000003
【００２９】
タイミングＴ2 とＴ3 の間の電流ｉ3tは（式９）で与えられ、時定数τ3 は（式１０）の通りとなる。
【００３０】
【数３】
0003657447.tif 000004
【００３１】
タイミングＴ3 とＴ4 の間の電流ｉ4tは（式１１）で与えられ、時定数τ4 は（式１２）の通りとなる。
【００３２】
【数４】
0003657447.tif 000005
【００３３】
タイミングＴ4 以後の電流ｉ5tは（式１３）で与えられ、時定数τ5 は（式１４）の通りとなる。
【００３４】
【数５】
0003657447.tif 000006
【００３５】
図３において、電流パターンの変化点Ｔ1 は電流開閉スイッチ２１の開極タイミングであり、変化点Ｔ2 は電流開閉スイッチ２３の閉極タイミングであり、変化点Ｔ3 は電流開閉スイッチ２２の開極タイミングであり、変化点Ｔ4 は電流開閉スイッチ２４の閉極タイミングを示すものであり、このタイミングＴ1 、Ｔ2 、Ｔ3 、Ｔ4 を求めることにより切換開閉器１１のシーケンスが測定できる。
【００３６】
以上に示したシーケンス測定方法で精度よくシーケンス測定結果を得るためには、図３のタイミングＴ1 、Ｔ2 、Ｔ3 、Ｔ4 の変化点が明確に現れることが肝要であり、そのためにはｉ2t、ｉ3t、ｉ4t、ｉ5tの時定数τ2 、τ3 、τ4 、τ5 を小さくすることが必要である。
【００３７】
時定数を小さくするには、シーケンス測定回路が接続される変圧器巻線のインダクタンスを小さく、抵抗値を大きくすることである。変圧器巻線のインダクタンスは変圧器鉄心を磁気飽和させることによりインダクタンスは小さな値となる。変圧器鉄心は測定用電源４１に直流を用いることにより簡単に飽和状態にすることができ、変圧器巻線のインダクタンスはほとんど作用しなくなる。
【００３８】
変圧器巻線のインダクタンスを小さくする方法としては、次の方法がある。
ａ．変圧器低圧側巻線３を短絡する方法
ｂ．変圧器の高圧側巻線２と低圧側巻線３のそれぞれの磁化の方向が相殺される方向に接続する方法
ｃ．変圧器の高圧側巻線２と低圧側巻線３のそれぞれの磁化の方向が加算される方向に接続する方法
【００３９】
変圧器の低圧側巻線３を短絡した場合（ａ．の場合）に高圧側から直流電流を流した場合、初期状態の電流変化の間は、高圧側の電流変化量（ｄｉ／ｄｔ）に相当する磁束変化に対応して低圧側にも電流が流れ、鉄心は速やかに飽和状態になり、高圧側から見た抵抗値は、高圧側巻線抵抗と低圧側巻線抵抗に巻数比の２乗を乗じた値が加算された抵抗値となり、変圧器巻線のインダクタンスはほとんど無視できる状態であり、シーケンス測定回路の時定数τは小さな値となって、負荷時タップ切換器の切換開閉器１１の電流開閉スイッチ２１、２２、２３、２４の動作タイミングＴ1 、Ｔ2 、Ｔ3 、Ｔ4 が明確に検出できる状態となる。
【００４０】
変圧器の高圧側巻線２と低圧側巻線３を直列に接続した場合（ｂ．またはｃ．の場合）は高圧側インダクタンスをＬ1 、低圧側インダクタンスをＬ2 、相互インダクタンスをＭとすると、高圧側から見たインダクタンスＬは（式１５）のようになる。
Ｌ ＝Ｌ1 ＋Ｌ2 ±２Ｍ・・・・・・・・・・・・・・（式１５）
±２Ｍの＋は高圧側巻線電流と低圧側巻線電流による磁化力の方向が加算される方向であり、−は高圧側巻線電流と低圧側巻線電流による磁化力が相殺される方向を示すものである。結線の方向が加算される場合あるいは相殺される場合のいずれの場合も直流電流を流した時は短時間で飽和状態になり、巻線のインダクタンスはほとんど影響しなくなる。
【００４１】
実際の変圧器の高圧側巻線２と低圧側巻線３の磁化方向が加わる方向に磁化して例では、高圧側から見たインダクタンスＬが５００Ｈのものが鉄心の飽和状態では０．２Ｈとなり、例えば巻線抵抗Ｒｍ、限流抵抗の抵抗Ｒｇ、検出可変抵抗器の抵抗Ｒｓの合計が１０Ωの場合では時定数τは次のようになる。
τ＝Ｌ／（Ｒｍ＋Ｒｇ＋Ｒｓ）＝０．２／１０＝２０（ｍｓ）
【００４２】
実際の変圧器の負荷時タップ切換器の切換開閉器１１の動作時間は数１０ｍｓであり、切換開閉器１１の切換動作のタイミングＴ1 、Ｔ2 、Ｔ3 、Ｔ4 が明確に読みとれる図３に示すような状態でシーケンス測定ができるものである。
【００４３】
シーケンス測定時の変圧器巻線の接続は、低圧側を短絡状態にすることが巻線インダクタンスＬを最も小さくできる状態（上記ａ．の方法）であり、次に高圧側巻線と低圧側巻線を磁化方向が相殺する方向に接続する状態（上記ｂ．の方法）であり、直列に接続して磁化方向が加算される方向に接続する状態（上記ｃ．の方法）では相互インダクタンスが加算され大きくなる。しかしながら、変圧器鉄心が飽和状態になっていれば、測定回路の時定数τは小さく、シーケンス測定には上記ａ、ｂ、ｃのいずれの方法であっても支障はない。
【００４４】
以上のように負荷時タップ切換器を備えた変圧器の高圧側巻線２に直流電流を供給して安定した状態で切換開閉器１１を動作させて電流波形を測定し、電流波形の変化点から電流開閉スイッチ２１、２２、２３、２４のシーケンスを検出するシーケンス測定方法によれば、変圧器から負荷時タップ切換器１０の切換開閉器１１取り外すことなくシーケンスを測定することができるようになり、従来のように、切換開閉器容器１２内の絶縁油を抜油して切換開閉器１１を取り外してシーケンス測定し、再取り付けする等の繁雑な作業を行うことなくシーケンス測定ができ、切換開閉器１１を取り外したときの吸湿、塵埃の付着などの問題点がなくなり、短時間で実施できる。
【００４５】
また、測定回路の高圧側巻線２に接続された部分を接地しておくことにより、測定回路への周囲からの誘導の影響をなくすることができる。
【００４６】
また、測定回路の変圧器に接続する部分にバリスタ４６を設けておくことにより測定時の異常電圧から測定回路が保護され、測定者の感電防止にもなる。
【００４７】
実施の形態２．
実施の形態１では、直流の測定電源を用いたが、変圧器に直流を印加すると、測定後の変圧器には磁束が残留する状態となり、電力系統に変圧器が並入されたときの励磁突入電流が大きくなる問題点がある。
【００４８】
実施の形態２は、測定電源を低周波交流としたものである。この場合、測定回路は実施の形態１場合と電源以外は同一とし、電源を例えば数Ｈｚ以下の低周波交流とし、通電電流の方向が正または負の半波の間に切換開閉器１１の動作が完了するように同期してシーケンス測定を行うものである。
【００４９】
電源周波数を数Ｈｚ以下に選択することにより、測定中は測定回路の時定数にはほとんど関係せず直流と同等に測定ができ、測定後に試験電圧を徐々に小さくして終了することにより、変圧器鉄心の残留磁束をなくして試験を終了することができ、並入したときに大きな励磁突入電流が流れることが防止できる。
【００５０】
【発明の効果】
この発明の請求項１記載の負荷時タップ切換器の切換開閉器のシーケンス測定方法は、複数の巻線を備えた負荷時タップ切換変圧器の負荷時タップ切換器が接続された巻線と直列に、直流電流を供給する測定用電源と供給した電流波形を検出する検出手段とを備えたシーケンス測定装置を接続し、シーケンス測定装置より負荷時タップ切換器が接続された巻線に直流の測定電流を供給し、測定電流が安定した状態で切換開閉器を切換動作させ、上記シーケンス測定装置により測定電流の電流波形を検出し、検出した電流波形の変化点を切換開閉器の動作タイミングとする方法であり、変圧器から負荷時タップ切換器の切換開閉器を取外すことなくシーケンスを測定することができるようになり、従来のように切換開閉器を取り外したときの吸湿、塵埃の付着などの問題点が解消され、シーケンス測定が短時間で実施することができる。
【００５１】
この発明の請求項２記載の負荷時タップ切換器の切換開閉器のシーケンス測定方法は、複数の巻線を備えた負荷時タップ切換変圧器の負荷時タップ切換器が接続された巻線と直列に、低周波交流の測定電流を供給する測定用電源と、測定電流の電流波形を検出する検出手段とを備えたシーケンス測定装置を接続し、シーケンス測定装置より負荷時タップ切換器が接続された巻線に低周波交流の測定電流を供給し、測定電流が正または負の半波の間に同期して切換開閉器を切換動作させ、シーケンス測定装置により電流波形を検出し、電流波形検出後は電源電圧を徐々に下降して回路スイッチを開路するものとし、検出した電流波形の変化点を切換開閉器の動作タイミングとする方法であり、直流と同等に測定ができ、測定後に電源電圧を徐々に小さくしていくことにより、変圧器鉄心の残留磁束をなくして試験を終了することができ、変圧器が並入されたときの励磁突入電流を小さくすることができる。
【００５２】
この発明の請求項３記載の負荷時タップ切換器の切換開閉器のシーケンス測定方法は、請求項１または請求項２の方法の負荷時タップ切換器が接続された巻線以外の巻線を短絡接続してシーケンス測定する方法であり、シーケンス測定時の変圧器巻線のインダクタンスが小さくなり、切換開閉器のシーケンスが正確に測定できる。
【００５３】
この発明の請求項４記載の負荷時タップ切換器の切換開閉器のシーケンス測定方法は、請求項１または請求項２の方法の形成したシーケンス測定回路のシーケンス測定装置と変圧器の高圧側巻線との間を接続した接続線の高圧線路側に接続した部分を接地してシーケンス測定する方法であり、測定回路の周囲からの誘導の影響を少なくすることができる。
【図面の簡単な説明】
【図１】  この発明による変圧器の負荷時タップ切換器の切換開閉器のシーケンス測定状況を示す図である。
【図２】  実施の形態１の負荷時タップ切換器の切換開閉器のシーケンス測定回路図である。
【図３】  検出された電流波形の例を示す図である。
【図４】  従来の変圧器の負荷時タップ切換器の切換開閉器のシーケンス測定状況を示す図である。
【図５】  （ａ）は切換開閉器の電流開閉スイッチの接続図であり、（ｂ）は電流開閉スイッチのシーケンス図である。
【図６】  従来の負荷時タップ切換器の切換開閉器を変圧器からの取外し状況図である。
【図７】  従来の切換開閉器のシーケンス測定回路図である。
【図８】  （ａ）は切換開閉器の電流開閉スイッチのシーケンス図である。（ｂ）は電流開閉スイッチの電流波形図である。
【符号の説明】
１  変圧器、２  高圧側巻線、３  低圧側巻線、４  変圧器タンク、
５  タップ、６ａ  高圧側ブッシング、６ｎ  高圧側中性点ブッシング、
７ａ，７ｂ  低圧側ブッシング、１０  負荷時タップ切換器、
１１  切換開閉器、１２  切換開閉器容器、１３  タップ選択器、
１４  接続リード、１５  操作機構、１６  駆動力伝達機構、１８  吊上装置、
２１，２２，２３，２４  電流開閉スイッチ、２５ａ，２５ｂ  限流抵抗器、
４０  シーケンス測定装置、４１  測定用電源、４２  検出用可変抵抗器、
４３  回路スイッチ、４４  測定エレメント、４５  接地端子、
４６  バリスタ、４８  接続ケーブル、４９  接続線。
【図１】
0003657447.tif 000007
【図２】
0003657447.tif 000008
【図３】
0003657447.tif 000009
【図４】
0003657447.tif 000010
【図５】
0003657447.tif 000011
【図６】
0003657447.tif 000012
【図７】
0003657447.tif 000013
【図８】
0003657447.tif 000014